(57)【要約】【課題】本発明は、コモンモードノイズの除去特性を向上させることができるコモンモードノイズフィルタを提供することを目的とするものである。【解決手段】本発明のコモンモードノイズフィルタは、第１ビア電極２０と第２ビア電極２１とを結ぶ線に対して、第１、第３内側接続部１６ｄ、１８ｄおよび第１、第３外側接続部１６ｆ、１８ｆを、同じ側に位置させ、第２、第４内側接続部１７ｄ、１９ｄおよび第２、第４外側接続部１７ｆ、１９ｆを、他の側に位置させ、第１パッド部１６ａと第１外部電極接続パッド部１６ｂとの距離ｔ１、第２パッド部１７ａと第２外部電極接続パッド部１７ｂとの距離ｔ２、第３パッド部１８ａと第３外部電極接続パッド部１８ｂとの距離ｔ３、第４パッド部１９ａと第４外部電極接続パッド部１９ｂとの距離ｔ４をそれぞれ実質的に同一としたものである。【選択図】図３
2019036698.tif 000002
【特許請求の範囲】
【請求項１】
複数の方形状の絶縁体層と、前記絶縁体層に形成された第１、第２のコイルと、前記絶縁体層および前記第１、第２のコイルを有する直方体形状の積層体と、前記積層体の外部に形成された第１〜第４の外部電極とを備え、
前記第１のコイルをスパイラル状の第１のコイル導体および第２のコイル導体で構成するとともに、前記第２のコイルをスパイラル状の第３のコイル導体および第４のコイル導体で構成し、
前記第１のコイル導体と前記第３のコイル導体とを互いに対向させて磁気結合させ、前記第２のコイル導体と前記第４のコイル導体とを互いに対向させて磁気結合させ、
さらに、前記第１のコイル導体と前記第２のコイル導体とは前記絶縁体層に形成された第１ビア電極を介して接続し、前記第３のコイル導体と前記第４のコイル導体とは前記絶縁体層に形成された第２ビア電極を介して接続し、
前記第１〜第４のコイル導体それぞれに、前記第１、第２ビア電極と接続される第１〜第４パッド部を形成し、前記第１〜第４の外部電極と接続され、前記絶縁体層の一方辺に位置する第１〜第４外部電極接続パッド部を形成し、
前記第１〜第４のコイル導体の巻き方向は、上面視ですべて同じとし、
前記第１、第３パッド部それぞれから前記一方辺に向かって延在する第１、第３内側接続部と、前記第１、第３外部電極接続パッド部それぞれから前記一方辺と対向する他方辺に向かって延在する第１、第３外側接続部と、
前記第２、第４パッド部それぞれから前記他方辺に向かって延在する第２、第４内側接続部と、前記第２、第４外部電極接続パッド部それぞれから前記一方辺に向かって延在する第２、第４外側接続部とを有し、
前記第１〜第４のコイル導体それぞれを、前記第１〜第４内側接続部の端部と前記第１〜第４外側接続部の端部とを接続して形成し、
前記第１ビア電極と第２ビア電極とを結ぶ線に対して、前記第１、第３内側接続部および前記第１、第３外側接続部を、同じ側に位置させ、前記第２、第４内側接続部および前記第２、第４外側接続部を、他の側に位置させ、
前記絶縁体層の前記一方辺から前記他方辺に向かう方向から見て、前記第１パッド部と前記第１外部電極接続パッド部との距離、前記第２パッド部と前記第２外部電極接続パッド部との距離、前記第３パッド部と前記第３外部電極接続パッド部との距離、前記第４パッド部と前記第４外部電極接続パッド部との距離をそれぞれ実質的に同一としたコモンモードノイズフィルタ。
【請求項２】
前記第１〜第４のコイル導体はそれぞれ、第１〜第４内側接続部と接続する内側端部、および第１〜第４外側接続部と接続する外側端部を有し、前記絶縁体層の前記一方辺から前記他方辺に向かう方向から見て、前記第１のコイル導体の前記内側端部と前記外側端部との距離、前記第２のコイル導体の前記内側端部と前記外側端部との距離、前記第３のコイル導体の前記内側端部と前記外側端部との距離、前記第４のコイル導体の前記内側端部と前記外側端部との距離を実質的に同一とした請求項１に記載のコモンモードノイズフィルタ。
【請求項３】
前記第１〜第４のコイル導体それぞれの前記内側接続部と前記外側接続部とを一直線上に並べ、この直線は前記絶縁体層の前記一方辺から前記他方辺に向かう方向と略平行になるようにした請求項１に記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のこの種のコモンモードノイズフィルタは、積層された複数の絶縁体層に形成された第１のコイルと第２のコイルとを有し、第１のコイルは第１、第２のコイル導体を接続して構成され、第２のコイルは第３、第４のコイル導体を接続して構成され、さらに、第１のコイルを構成するコイル導体と第２のコイルを構成するコイル導体を交互に配置した構成となっていた。
【０００３】
このとき、第１、第２のコイル導体は第１のビア電極を介して互いに接続し、第３、第４のコイル導体は第２のビア電極を介して互いに接続しており、上面視にて第１のビア電極と第２のビア電極は異なる位置に配置していた。
【０００４】
また、第１のコイル導体と第３のコイル導体とを上面視にて重なるようにして磁気結合させ、かつ第２のコイル導体と第４のコイル導体とを上面視にて重なるようにして磁気結合させて、コモンモードノイズを除去するようにしていた。
【０００５】
そして、第１〜第４のコイル導体の一端部は外部電極と接続され、他端部はビア電極に接続され、この接続部分の幅は他の部分の幅より広いパッド部となっている。
【０００６】
なお、この出願の発明に関する先行技術文献情報としては、例えば、特許文献１が知られている。
【先行技術文献】
【特許文献】
【０００７】
【特許文献１】特開２０１３−１２２９４０号公報
【発明の概要】
【発明が解決しようとする課題】
【０００８】
上記した従来のコモンモードノイズフィルタにおいては、互いに磁気結合する第１のコイル導体の巻き数と第３のコイル導体の巻き数、第２のコイル導体の巻き数と第４のコイル導体の巻き数が異なるため、第１のコイル導体と第３のコイル導体とが上面視にて重なる部分、第２のコイル導体と第４のコイル導体とが上面視にて重なる部分の長さが短くなる。
【０００９】
これらの結果、コモンモードインピーダンスを大きくすることができないため、コモンモードノイズの除去特性が向上しないという課題を有していた。
【００１０】
本発明は上記従来の課題を解決するもので、コモンモードノイズの除去特性を向上させることができるコモンモードノイズフィルタを提供することを目的とするものである。
【課題を解決するための手段】
【００１１】
第１の態様に係るコモンモードノイズフィルタは、複数の方形状の絶縁体層と、前記絶縁体層に形成された第１、第２のコイルと、前記絶縁体層および前記第１、第２のコイルを有する直方体形状の積層体と、前記積層体の外部に形成された第１〜第４の外部電極と
を備え、前記第１のコイルをスパイラル状の第１のコイル導体および第２のコイル導体で構成するとともに、前記第２のコイルをスパイラル状の第３のコイル導体および第４のコイル導体で構成し、前記第１のコイル導体と前記第３のコイル導体とを互いに対向させて磁気結合させ、前記第２のコイル導体と前記第４のコイル導体とを互いに対向させて磁気結合させ、さらに、前記第１のコイル導体と前記第２のコイル導体とは前記絶縁体層に形成された第１ビア電極を介して接続し、前記第３のコイル導体と前記第４のコイル導体とは前記絶縁体層に形成された第２ビア電極を介して接続し、前記第１〜第４のコイル導体それぞれに、前記第１、第２ビア電極と接続される第１〜第４パッド部を形成し、前記第１〜第４の外部電極と接続され、前記絶縁体層の一方辺に位置する第１〜第４外部電極接続パッド部を形成し、前記第１〜第４のコイル導体の巻き方向は、上面視ですべて同じとし、前記第１、第３パッド部それぞれから前記一方辺に向かって延在する第１、第３内側接続部と、前記第１、第３外部電極接続パッド部それぞれから前記一方辺と対向する他方辺に向かって延在する第１、第３外側接続部と、前記第２、第４パッド部それぞれから前記他方辺に向かって延在する第２、第４内側接続部と、前記第２、第４外部電極接続パッド部それぞれから前記一方辺に向かって延在する第２、第４外側接続部とを有し、前記第１〜第４のコイル導体それぞれを、前記第１〜第４内側接続部の端部と前記第１〜第４外側接続部の端部とを接続して形成し、前記第１ビア電極と第２ビア電極とを結ぶ線に対して、前記第１、第３内側接続部および前記第１、第３外側接続部を、同じ側に位置させ、前記第２、第４内側接続部および前記第２、第４外側接続部を、他の側に位置させ、前記絶縁体層の前記一方辺から前記他方辺に向かう方向から見て、前記第１パッド部と前記第１外部電極接続パッド部との距離、前記第２パッド部と前記第２外部電極接続パッド部との距離、前記第３パッド部と前記第３外部電極接続パッド部との距離、前記第４パッド部と前記第４外部電極接続パッド部との距離をそれぞれ実質的に同一とした。
【００１２】
第２の態様に係るコモンモードノイズフィルタでは、第１の態様において、前記第１〜第４のコイル導体はそれぞれ、第１〜第４内側接続部と接続する内側端部、および第１〜第４外側接続部と接続する外側端部を有し、前記絶縁体層の前記一方辺から前記他方辺に向かう方向から見て、前記第１のコイル導体の前記内側端部と前記外側端部との距離、前記第２のコイル導体の前記内側端部と前記外側端部との距離、前記第３のコイル導体の前記内側端部と前記外側端部との距離、前記第４のコイル導体の前記内側端部と前記外側端部との距離を実質的に同一とした。
【００１３】
第３の態様に係るコモンモードノイズフィルタでは、第１の態様において、前記第１〜第４のコイル導体それぞれの前記内側接続部と前記外側接続部とを一直線上に並べ、この直線は前記絶縁体層の前記一方辺から前記他方辺に向かう方向と略平行になるようにした。
【発明の効果】
【００１４】
以上のように本発明のコモンモードノイズフィルタは、第１〜第４のコイル導体の外部電極に接続される位置、ビア電極に接続される位置の差を少なくすることができるため、第１のコイル導体の巻き数と第３のコイル導体の巻き数、第２のコイル導体の巻き数と第４のコイル導体の巻き数が略同一となり、これにより、コモンモードインピーダンスを大きくすることができるため、コモンモードノイズの除去特性を向上させることができるという優れた効果を奏するものである。
【図面の簡単な説明】
【００１５】
【図１】本発明の一実施の形態におけるコモンモードノイズフィルタの分解斜視図
【図２】同コモンモードノイズフィルタの斜視図
【図３】同コモンモードノイズフィルタの主要部の上面図
【図４】同コモンモードノイズフィルタの他の例の主要部の上面図
【図５】比較例のコモンモードノイズフィルタの分解斜視図
【図６】同コモンモードノイズフィルタの主要部の上面図
【発明を実施するための形態】
【００１６】
図１は本実施形態におけるコモンモードノイズフィルタの分解斜視図、図２は同コモンモードノイズフィルタの斜視図である。
【００１７】
本実施形態におけるコモンモードノイズフィルタは、図１、図２に示すように、第１〜第５の絶縁体層１１ａ〜１１ｅと、第１〜第５の絶縁体層１１ａ〜１１ｅに形成された第１のコイル１２、第２のコイル１３と、第１〜第５の絶縁体層１１ａ〜１１ｅ、第１、第２のコイル１２、１３を有する直方体形状の積層体１４と、積層体１４の外部に形成された第１〜第４の外部電極１５ａ〜１５ｄとを備えている。
【００１８】
また、第１のコイル１２を渦巻状の第１のコイル導体１６および第２のコイル導体１７で構成するとともに、第２のコイル１３を渦巻状の第３のコイル導体１８および第４のコイル導体１９で構成し、第１のコイル１２を構成する第１、第２のコイル導体１６、１７と第２のコイル１３を構成する第３、第４のコイル導体１８、１９とを交互に配置している。
【００１９】
さらに、第１のコイル導体１６と第２のコイル導体１７とは第２、第３の絶縁体層１１ｂ、１１ｃに形成された第１ビア電極２０を介して接続し、第３のコイル導体１８と第４のコイル導体１９とは第３、第４の絶縁体層１１ｃ、１１ｄに形成された第２ビア電極２１を介して接続している。
【００２０】
そして、第１の絶縁体層１１ａの下面、第５の絶縁体層１１ｅの上面に、それぞれ第６の絶縁体層２２が設けられているもので、この第６の絶縁体層２２は、方形状のシート状に構成され、Ｎｉ−Ｃｕ−Ｚｎフェライト等の磁性材料で形成されている。なお、第１〜第６の絶縁体層１１ａ〜１１ｅ、２２の枚数は、図１に示された枚数に限られるものではない。
【００２１】
上記構成において、第１〜第５の絶縁体層１１ａ〜１１ｅは、下から第１の絶縁体層１１ａ、第２の絶縁体層１１ｂ、第３の絶縁体層１１ｃ、第４の絶縁体層１１ｄ、第５の絶縁体層１１ｅの順に積層され、また、Ｃｕ−Ｚｎフェライト、ガラスセラミック等の非磁性材料により方形状のシート状に構成されている。
【００２２】
さらに、前記第１〜第４のコイル導体１６〜１９は、それぞれ銀等の導電材料を渦巻状にめっきまたは印刷することにより形成され、一辺（長辺）および一辺と略直交する他辺（短辺）とを連続させて１ターン以上の渦巻状、スパイラル状に形成される。なお、第１〜第４のコイル導体１６〜１９の巻き方向（電流の流れる方向）は、上面視ですべて同じである。また、この渦巻きの一辺、他辺は、第１〜第５の絶縁体層１１ａ〜１１ｅ（積層体１４）の一辺、他辺とそれぞれ略平行である。
【００２３】
そして、第１のコイル導体１６は第１の絶縁体層１１ａの上面、第２のコイル導体１７は第３の絶縁体層１１ｃの上面、第３のコイル導体１８は第２の絶縁体層１１ｂの上面、第４のコイル導体１９は第４の絶縁体層１１ｄの上面にそれぞれ形成されている。すなわち、第１のコイル１２を構成するコイル導体と第２のコイル１３を構成するコイル導体を交互に積層している。
【００２４】
このとき、対向する第１のコイル導体１６と第３のコイル導体１８とが上面視で重なり互いに磁気結合し、対向する第２のコイル導体１７と第４のコイル導体１９とが上面視で
重なり互いに磁気結合する。なお、第１のコイル導体１６の最外周は第３のコイル導体１８の最外周と上面視にて重ならず、第２のコイル導体１７の最外周は第４のコイル導体１９の最外周と上面視にて重ならない。
【００２５】
なお、第１のコイル導体１６と第３のコイル導体１８との重なり状態、第２のコイル導体１７と第４のコイル導体１９との重なり状態は上記に限定されるものではない。
【００２６】
また、第１のコイル導体１６と第２のコイル導体１７とは、第２の絶縁体層１１ｂ、第３の絶縁体層１１ｃにそれぞれ形成された２つの第１ビア電極２０を介して互いに直列に接続され、第１のコイル１２が構成される。さらに、第３のコイル導体１８と第４のコイル導体１９とは、第３の絶縁体層１１ｃ、第４の絶縁体層１１ｄに形成された２つの第２ビア電極２１を介して互いに直列に接続され、第２のコイル１３が構成される。
【００２７】
なお、図面では、第３の絶縁体層１１ｃに形成された第１ビア電極２０、第４の絶縁体層１１ｄに形成された第２ビア電極２１は、それぞれ第２のコイル導体１７、第４のコイル導体１９に隠れている。
【００２８】
ここで、前記第１ビア電極２０はそれぞれ上面視にて同じ位置に設けられ前記第２ビア電極２１もそれぞれ上面視にて同じ位置に設けられている。また、第１ビア電極２０、第２ビア電極２１は、絶縁体層の所定の箇所に、レーザまたはパンチング機等により孔あけ加工をし、この孔に銀を充填して形成する。
【００２９】
このとき、第１ビア電極２０と第２ビア電極２１は、上面視にて異なる位置に設けられ、第１〜第４のコイル導体１６〜１９の渦巻きの内側に位置する。
【００３０】
そして、上記した構成により、直方体形状の積層体１４が形成される。また、この積層体１４の両側面には、図２に示すように、第１〜第４の外部電極１５ａ〜１５ｄが設けられ、そしてこの第１〜第４の外部電極１５ａ〜１５ｄはそれぞれ第１〜第４のコイル導体１６〜１９と接続されている。
【００３１】
さらに、前記第１〜第４の外部電極１５ａ〜１５ｄは、積層体１４の端面に銀を印刷することにより形成され、またこれらの表面にめっきによってニッケルめっき層を形成するとともに、このニッケルめっき層の表面にめっきによってすずやはんだ等の低融点金属めっき層を形成する。
【００３２】
次に、図３を用いて、第１〜第４のコイル導体１６〜１９について詳細に説明する。
【００３３】
図３は、第４の絶縁体層１１ｄに形成された第４のコイル導体１９、第３の絶縁体層１１ｃに形成された第２のコイル導体１７、第２の絶縁体層１１ｂに形成された第３のコイル導体１８、第１の絶縁体層１１ａに形成された第１のコイル導体１６の上面図を順に並べたものを表している。
【００３４】
ここで、第１、第２ビア電極２０、２１と接続される第１〜第４パッド部１６ａ〜１９ａを形成し、第１〜第４の外部電極１５ａ〜１５ｄと接続される第１〜第４外部電極接続パッド部１６ｂ〜１９ｂを形成している。
【００３５】
さらに、第１、第３パッド部１６ａ、１８ａそれぞれから一方辺（長辺）２３に向かって延在する第１、第３内側接続部１６ｄ、１８ｄと、第２、第４パッド部１７ａ、１９ａから他方辺２４に向かって延在する第２、第４内側接続部１７ｄ、１９ｄを有している。
【００３６】
また、第１、第３外部電極接続パッド部１６ｂ、１８ｂそれぞれから他方辺２４に向かって延在する第１、第３外側接続部１６ｆ、１８ｆと、第２、第４外部電極接続パッド部１７ｂ、１９ｂから一方辺２３に向かって延在する第２、第４外側接続部１７ｆ、１９ｆを有している。
【００３７】
ここで、第１〜第４の絶縁体層１１ａ〜１１ｄは、一方辺２３と一方辺２３と対向する他方辺２４を有している。なお、一方辺２３と他方辺２４の符号は第１の絶縁体層１１ａ、第４の絶縁体層１１ｄのみに示している。
【００３８】
第１〜第４パッド部１６ａ〜１９ａ、第１〜第４外部電極接続パッド部１６ｂ〜１９ｂは、第１〜第４のコイル導体１６〜１９の他の部分より幅が広くなっている。
【００３９】
第４のコイル導体１９は、第４内側接続部１９ｄの端部１９ｃと、第４外側接続部１９ｆの端部１９ｅとを接続して形成される。
【００４０】
ここで、端部１９ｃ、１９ｅは、第４のコイル導体１９のうち、渦巻状となっている部分の両端部を言い、第４内側接続部１９ｄの端部１９ｃは内側端部１９ｃとなり、第４外側接続部１９ｆの端部１９ｅは外側端部１９ｅとなる。したがって、内側端部１９ｃは第４内側接続部１９ｄと接続され、外側端部１９ｅは第４外側接続部１９ｆと接続されることになる。これは、以下の第１〜第３のコイル導体１６〜１８についても同じである。
【００４１】
同様に、第２のコイル導体１７は、第２内側接続部１７ｄの端部１７ｃと、第２外側接続部１７ｆの端部１７ｅとを接続して形成される。
【００４２】
第３のコイル導体１８は、第３内側接続部１８ｄの端部１８ｃと、第３外側接続部１８ｆの端部１８ｅとを接続して形成される。
【００４３】
第１のコイル導体１６は、第１内側接続部１６ｄの端部１６ｃと、第１外側接続部１６ｆの端部１６ｅとを接続して形成される。
【００４４】
さらに、互いに対向する第１のコイル導体１６と第３のコイル導体１８において、第１、第３内側接続部１６ｄ、１８ｄおよび第１、第３外側接続部１６ｆ、１８ｆを、第１ビア電極２０と第２ビア電極２１とを結ぶ線（Ａ−Ａ線）に対して、同じ側に位置させている。
【００４５】
互いに対向する第２のコイル導体１７と第４のコイル導体１９においても、第２、第４内側接続部１７ｄ、１９ｄおよび第２、第４外側接続部１７ｆ、１９ｆを、Ａ−Ａ線に対して他の同じ側に位置させている。
【００４６】
そして、積層体１４の第１〜第４の外部電極１５ａ〜１５ｄが形成された側面（第１〜第４の絶縁体層１１ａ〜１１ｄの一方辺２３から他方辺２４に向かう方向）から見て、第１のコイル導体１６の第１パッド部１６ａと第１外部電極接続パッド部１６ｂとの距離ｔ１、第２のコイル導体１７の第２パッド部１７ａと第２外部電極接続パッド部１７ｂとの距離ｔ２、第３のコイル導体１８の第３パッド部１８ａと第３外部電極接続パッド部１８ｂとの距離ｔ３、第４のコイル導体１９の第４パッド部１９ａと第４外部電極接続パッド部１９ｂとの距離ｔ４をそれぞれ実質的に同一としている。
【００４７】
上記したように本発明の一実施の形態におけるコモンモードノイズフィルタにおいては、第１ビア電極２０と第２ビア電極２１とを結ぶ線（Ａ−Ａ線）に対して、第１、第３内側接続部１６ｄ、１８ｄおよび第１、第３外側接続部１６ｆ、１８ｆを、同じ側に位置さ
せ、第２、第４内側接続部１７ｄ、１９ｄおよび第２、第４外側接続部１７ｆ、１９ｆを、Ａ−Ａ線に対して他の側に位置させ、さらに、第１のコイル導体１６の第１パッド部１６ａと第１外部電極接続パッド部１６ｂとの距離ｔ１、第２のコイル導体１７の第２パッド部１７ａと第２外部電極接続パッド部１７ｂとの距離ｔ２、第３のコイル導体１８の第３パッド部１８ａと第３外部電極接続パッド部１８ｂとの距離ｔ３、第４のコイル導体１９の第４パッド部１９ａと第４外部電極接続パッド部１９ｂとの距離ｔ４をそれぞれ実質的に同一としているため、第１〜第４のコイル導体１６〜１９の外部電極１５ａ〜１５ｄに接続される位置、ビア電極２０、２１に接続される位置の差を少なくすることができ、これにより、第１のコイル導体１６の巻き数と第３のコイル導体１８の巻き数、第２のコイル導体１７の巻き数と第４のコイル導体１９の巻き数が略同一（本実施例では例えば全長の違いが１０％以内（これに限定されない））となるため、コモンモードインピーダンスを大きくすることができ、コモンモードノイズの除去特性を向上させることができるという効果が得られるものである。
【００４８】
すなわち、互いに磁気結合する第１のコイル導体１６と第３のコイル導体１８において、その第１、第３内側接続部１６ｄ、１８ｄおよび第１、第３外側接続部１６ｆ、１８ｆを、第１ビア電極２０と第２ビア電極２１とを結ぶ線に対して同じ側に位置させ、さらに、第１のコイル導体１６の第１パッド部１６ａと第１外部電極接続パッド部１６ｂとの距離ｔ１、第３のコイル導体１８の第３パッド部１８ａと第３外部電極接続パッド部１８ｂとの距離ｔ３を略同一にしているため、第１〜第４の外部電極１５ａ〜１５ｄが形成された側面から（第１〜第４の絶縁体層１１ａ〜１１ｄの一方辺２３から他方辺２４に向かう方向から）見て、その内側端部１６ｃ、１８ｃと外側端部１６ｅ、１８ｅを略同じ位置にすることができ、これにより、巻数も第１、第３のコイル導体１６、１８で略同一にすることができる。
【００４９】
このとき、第１〜第４の絶縁体層１１ａ〜１１ｄの一方辺２３から他方辺２４に向かう方向から見て、第１のコイル導体１６の内側端部１６ｃと外側端部１６ｅとの距離と、第３のコイル導体１８の内側端部１８ｃと外側端部１８ｅとの距離を実質的に同一にすれば、第１のコイル導体１６の巻き数と第３のコイル導体１８の巻き数をより近づけ易くなる。
【００５０】
互いに磁気結合する第２のコイル導体１７と第４のコイル導体１９においても同様である。
【００５１】
図３では、第１〜第４のコイル導体１６〜１９が約３ターンになっている。
【００５２】
一方、図５、図６に示す比較例では、互いに磁気結合する第１のコイル導体４ａの巻き数と第３のコイル導体５ａの巻き数を比較した場合、外部電極に接続される位置の差およびビア電極６に接続される位置の差によって、第１のコイル導体４ａの巻き数は第３のコイル導体５ａの巻き数より少なく、また同様に、第２のコイル導体４ｂの巻き数が第４のコイル導体５ｂの巻き数より少なくなるため、第１のコイル導体４ａと第３のコイル導体５ａとが上面視にて重なる部分、第２のコイル導体４ｂと第４のコイル導体５ｂとが上面視にて重なる部分の長さが短くなる。
【００５３】
すなわち、第３のコイル導体５ａの巻き数が約３．５ターンであるのに対し、第１のコイル導体４ａの巻き数は約３ターンとなっている。その結果、第１のコイル導体４ａと第３のコイル導体５ａとが上面視にて重なる長さは、巻き数が小さい方の第１のコイル導体４ａと略同じの約３ターンとなってしまう。このことは、第２のコイル導体４ｂと第４のコイル導体５ｂとの関係にも言える。
【００５４】
さらに、巻き数の少ない第１のコイル導体４ａと第２のコイル導体４ｂからなる第１のコイル２の長さは、巻き数の多い第３のコイル導体５ａと第４のコイル導体５ｂからなる第２のコイル３の長さより短くなる。これらの結果、コモンモードインピーダンスを大きくすることができないため、コモンモードノイズの除去特性が向上しない。
【００５５】
なお、図４に示すように、渦巻状の第１のコイル導体１６の第１内側接続部１６ｄと第１外側接続部１６ｆとを結ぶ線を、第１の絶縁体層１１ａの一方辺２３から他方辺２４に向かう方向と略平行になるようにしてもよい。このとき、第１内側接続部１６ｄと第１外側接続部１６ｆの一部は一直線上に並び、この直線は第１のコイル導体１６の第１の絶縁体層１１ａの一方辺２３から他方辺２４に向かう方向と略平行である。
【００５６】
この場合、第１のコイル導体１６の巻き始める部分となる内側端部１６ｃと、巻き終わり部分となる外側端部１６ｅとを結ぶ線が、第１の絶縁体層１１ａの一方辺２３から他方辺２４に向かう方向と略平行になる。
【００５７】
そして、第２〜第４のコイル導体１７〜１９についても同様に、それぞれの内側接続部１７ｄ〜１９ｄと外側接続部１７ｆ〜１９ｆとを結ぶ線は、第２〜第４のコイル導体１７〜１９の第２〜第４の絶縁体層１１ｂ〜１１ｄの一方辺２３から他方辺２４に向かう方向と略平行になるようにする。
【００５８】
また、第２〜第４のコイル導体１７〜１９の巻き始める部分となる内側端部１７ｃ〜１９ｃと、巻き終わり部分となる外側端部１７ｅ〜１９ｅとを結ぶ線が、第２〜第４の絶縁体層１１ｂ〜１１ｄの一方辺２３から他方辺２４に向かう方向と略平行になる。
【００５９】
上記の構成により、第１〜第４のコイル導体１６〜１９の巻数をより確実に同一にすることができる。図４では第１〜第４のコイル導体１６〜１９すべてが３ターンになっている。
【００６０】
なお、上記した本発明の一実施の形態においては、第１のコイル１２、第２のコイルと１３をそれぞれ１つ設けたものについて説明したが、２つ以上設けてアレイタイプとしてもよい。
【００６１】
また、第１〜第４のコイル導体１６〜１９の巻き数が約３ターンのものについて説明したが、他のターン数のものであってもよい。
【００６２】
そしてまた、第１のコイル１２を構成するコイル導体と第２のコイル１３を構成するコイル導体を交互に積層するのではなく、第１のコイル１２を構成する第１のコイル導体１６と第２のコイル導体１７との間に、第２のコイル１３を構成する第３のコイル導体１８、第４のコイル導体１９を積層してもよい。
【産業上の利用可能性】
【００６３】
本発明に係るコモンモードノイズフィルタは、コモンモードノイズの除去特性を向上させることができるという効果を有するものであり、特にデジタル機器やＡＶ機器、情報通信端末等の各種電子機器のノイズ対策として使用されるコモンモードノイズフィルタ等において有用となるものである。
【符号の説明】
【００６４】
１１ａ〜１１ｅ  第１〜第５の絶縁体層
１２  第１のコイル
１３  第２のコイル
１４  積層体
１５ａ〜１５ｄ  第１〜第５の外部電極
１６  第１のコイル導体
１６ａ  第１パッド部
１６ｂ  第１外部電極接続パッド部
１６ｄ  第１内側接続部
１６ｆ  第１外側接続部
１７  第２のコイル導体
１７ａ  第２パッド部
１７ｂ  第２外部電極接続パッド部
１７ｄ  第２内側接続部
１７ｆ  第２外側接続部
１８  第３のコイル導体
１８ａ  第３パッド部
１８ｂ  第３外部電極接続パッド部
１８ｄ  第３内側接続部
１８ｆ  第３外側接続部
１９  第４のコイル導体
１９ａ  第４パッド部
１９ｂ  第４外部電極接続パッド部
１９ｄ  第４内側接続部
１９ｆ  第４外側接続部
２０  第１ビア電極
２１  第２ビア電極
【図１】
2019036698.tif 000003
【図２】
2019036698.tif 000004
【図３】
2019036698.tif 000005
【図４】
2019036698.tif 000006
【図５】
2019036698.tif 000007
【図６】
2019036698.tif 000008